【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数の基準信号を第1のワイヤレス通信デバイスによって送信するステップと、
前記第1のワイヤレス通信デバイスの受信機チェーンにおいて前記複数の基準信号を受信するステップと、
前記受信機チェーンにおいて受信された前記複数の基準信号に対するエコーキャンセルを実行するステップと、
第1のエコーキャンセルメトリックの値を、前記複数の基準信号のうちの各基準信号に対して決定するステップと、
前記第1のワイヤレス通信デバイスに対する全二重(FD)または半二重(HD)通信リソースをスケジュールするためのスケジューリングエンティティに、第1のエコーキャンセルメトリックの各々を与えるステップと、
を含み、
前記複数の基準信号は対応する複数の送信電力レベルで送信され、
前記第１のエコーキャンセルメトリックは、前記基準信号に対する前記エコーキャンセルを実行することによって獲得されたエコーキャンセルの第1の量を示し、
第1のエコーキャンセルメトリックの各々は、前記複数の送信電力レベルのうちの各送信電力レベルを各基準信号に対応する前記第1のエコーキャンセルメトリックの前記値にマッピングする全二重能力マトリクスにおいて、前記スケジューリングエンティティに与えられる、方法。
【請求項２】
前記第1のワイヤレス通信デバイスが、ユーザ機器(UE)またはeNodeBである、請求項1に記載の方法。
【請求項３】
前記第1のエコーキャンセルメトリックが、
前記複数の基準信号のうちの基準信号に対するエコーキャンセルを実行した後に残存する残余受信電力と、
前記残余受信電力と、前記基準信号が送信される前記複数の送信電力レベルのそれぞれの送信電力レベルとの間の差分と、
前記複数の基準信号を受信するときの、前記第1のワイヤレス通信デバイスにおけるライズオーバサーマル比とからなるグループから選択された少なくとも1つのメトリックである、請求項1に記載の方法。
【請求項４】
前記第1のエコーキャンセルメトリックを前記スケジューリングエンティティに前記与えるステップが、
前記全二重能力マトリクスを含む無線リソース制御(RRC)メッセージを前記スケジューリングエンティティに送信するステップを含む、請求項1に記載の方法。
【請求項５】
前記スケジュールするステップが、前記第1のエコーキャンセルメトリック、および前記第1のワイヤレス通信デバイスと第2のワイヤレス通信デバイスとの間の経路損失値に基づいて、前記第1のワイヤレス通信デバイスと前記第2のワイヤレス通信デバイスとの間の通信のために行われる、請求項1に記載の方法。
【請求項６】
前記スケジュールするステップが、前記第1のワイヤレス通信デバイスと第2のワイヤレス通信デバイスとの間の通信のためのものであり、前記スケジュールするステップが、前記第1のエコーキャンセルメトリックと、対応する第2の複数の送信電力レベルで前記第2のワイヤレス通信デバイスによって送信された第2の複数の基準信号に対するエコーキャンセルを実行することによって獲得されたエコーキャンセルの第2の量を示す第2のエコーキャンセルメトリックと、前記第1のワイヤレス通信デバイスと前記第2のワイヤレス通信デバイスとの間の経路損失値とからなるグループから選択された少なくとも1つのメトリックに基づく、請求項1に記載の方法。
【請求項７】
前記スケジュールするステップが、
その範囲より下ではFD通信モードがHD通信モードと比較してより高いスループットを生じる、送信電力の範囲を決定するステップを含む、請求項6に記載の方法。
【請求項８】
前記スケジュールするステップが、
前記第1のワイヤレス通信デバイスと前記第2のワイヤレス通信デバイスとの間のFD通信モードに対応する第1の総スループットを決定するステップと、
前記第1のワイヤレス通信デバイスと前記第2のワイヤレス通信デバイスとの間のHD通信モードに対応する第2の総スループットを決定するステップと、
前記第1の総スループットおよび前記第2の総スループットに基づいて、前記FD通信モードで動作するかまたは前記HD通信モードで動作するかを決定するステップとを含む、請求項6に記載の方法。
【請求項９】
前記FD通信モードで動作するかまたは前記HD通信モードで動作するかを前記決定するステップが、各スケジュール間隔において実行され、前記第1の総スループットが前記第2の総スループットより大きいときに前記FD動作モードで動作することを決定するステップを含む、請求項8に記載の方法。
【請求項１０】
ワイヤレス通信のための装置であって、
複数の基準信号を第1のワイヤレス通信デバイスによって送信するための手段と、
前記第1のワイヤレス通信デバイスの受信機チェーンにおいて前記複数の基準信号を受信するための手段と、
前記受信機チェーンにおいて受信された前記複数の基準信号に対するエコーキャンセルを実行するための手段と、
第1のエコーキャンセルメトリックの値を、前記複数の基準信号のうちの各基準信号に対して決定するための手段と、
前記第1のワイヤレス通信デバイスに対する全二重(FD)または半二重(HD)通信リソースをスケジュールするためのスケジューリングエンティティに、第1のエコーキャンセルメトリックの各々を与えるための手段と、
を備え、
前記複数の基準信号は対応する複数の送信電力レベルで送信され、
前記第１のエコーキャンセルメトリックは、前記基準信号に対する前記エコーキャンセルを実行することによって獲得されたエコーキャンセルの第1の量を示し、
第1のエコーキャンセルメトリックの各々は、前記複数の送信電力レベルのうちの各送信電力レベルを各基準信号に対応する前記第1のエコーキャンセルメトリックの前記値にマッピングする全二重能力マトリクスにおいて、前記スケジューリングエンティティに与えられる、装置。
【請求項１１】
前記第1のワイヤレス通信デバイスが、ユーザ機器(UE)またはeNodeBである、請求項10に記載の装置。
【請求項１２】
前記第1のエコーキャンセルメトリックが、
前記複数の基準信号のうちの基準信号に対するエコーキャンセルを実行した後に残存する残余受信電力と、
前記残余受信電力と、前記基準信号が送信される前記複数の送信電力レベルのそれぞれの送信電力レベルとの間の差分と、
前記複数の基準信号を受信するときの、前記第1のワイヤレス通信デバイスにおけるライズオーバサーマル比とからなるグループから選択された少なくとも1つのメトリックである、請求項10に記載の装置。
【請求項１３】
前記第1のエコーキャンセルメトリックを前記スケジューリングエンティティに前記与えるための手段が、
前記全二重能力マトリクスを含む無線リソース制御(RRC)メッセージを前記スケジューリングエンティティに送信するための手段を含む、請求項10に記載の装置。
【請求項１４】
前記スケジュールするステップが、前記第1のエコーキャンセルメトリック、および前記第1のワイヤレス通信デバイスと第2のワイヤレス通信デバイスとの間の経路損失値に基づいて、前記第1のワイヤレス通信デバイスと前記第2のワイヤレス通信デバイスとの間の通信のために行われる、請求項10に記載の装置。
【請求項１５】
ワイヤレス通信のためのコンピュータプログラムであって、
複数の基準信号を対応する複数の送信電力レベルで、第1のワイヤレス通信デバイスによって送信するためのコードと、
前記第1のワイヤレス通信デバイスの受信機チェーンにおいて前記複数の基準信号を受信するためのコードと、
前記受信機チェーンにおいて受信された前記複数の基準信号に対するエコーキャンセルを実行するためのコードと、
第1のエコーキャンセルメトリックの値を、前記複数の基準信号のうちの各基準信号に対して決定するためのコードと、
前記第1のワイヤレス通信デバイスに対する全二重(FD)または半二重(HD)通信リソースをスケジュールするためのスケジューリングエンティティに、第1のエコーキャンセルメトリックの各々を与えるためのコードと、
を含み、
前記複数の基準信号は対応する複数の送信電力レベルで送信され、
前記第１のエコーキャンセルメトリックは、前記基準信号に対する前記エコーキャンセルを実行することによって獲得されたエコーキャンセルの第1の量を示し、
第1のエコーキャンセルメトリックの各々は、前記複数の送信電力レベルのうちの各送信電力レベルを各基準信号に対応する前記第1のエコーキャンセルメトリックの前記値にマッピングする全二重能力マトリクスにおいて、前記スケジューリングエンティティに与えられる、コンピュータプログラム。